(57)【要約】【課題】記録されている曲の途中や、複数の曲の内の任意の曲の先頭を素早く頭出し、また、唱歌指導性を向上させる。【解決手段】ＤＶＤにはあらかじめ、音楽教材用の曲データと、曲データの楽譜を画面上に表示するための画像データと、楽譜の音符単位、小節の先頭、行の先頭、曲の先頭をオペレータが指定可能に表示するための位置データとして「マーキング」データが記録される。ＤＶＤプレイヤ１はＤＶＤから曲データ、楽譜画像データ及び位置データを再生し、テレビ黒板３はＤＶＤプレイヤにより再生された楽譜画像データを表示するとともに、位置データに基づいて同じ画面上にオペレータが再生開始位置を指定可能に表示し、オペレータにより再生開始位置が指定された場合にＤＶＤプレイヤがその位置データに基づいて指定位置から曲データ及び楽譜の再生を開始するように制御する。【選択図】　　　　図１
2004054189.tif 000002
【特許請求の範囲】
【請求項１】
音楽教材用の曲データと、
前記曲データの楽譜を画面上に表示するための画像データと、
前記画像データに基づいて画面上に表示される楽譜の少なくとも途中の再生開始位置をオペレータが指定可能に前記画面上に表示するための位置データとを、有するデータ構造が記録され、
オペレータにより前記画面上の再生開始位置が指定された場合にその位置データに基づいて指定位置から前記曲データ及び楽譜の再生を開始するように構成した音楽教材用記録媒体。
【請求項２】
前記位置データは、曲の先頭の他に、楽譜の音符単位、小節の先頭、行の先頭のうちの少なくとも１つを含むことを特徴とする請求項１に記載の音楽教材用記録媒体。
【請求項３】
前記曲データは、複数の楽器パートで構成された楽曲から１以上の楽器パートを除いた曲データであり、
前記画像データは、前記除いた楽器パートの楽譜であることを特徴とする請求項１又は２に記載の音楽教材用記録媒体。
【請求項４】
請求項１から３のいずれか１つに記載の音楽教材用記録媒体に記録された曲データ、楽譜画像データ及び位置データを再生する再生機と、
前記再生機により再生された楽譜画像データを表示するとともに、位置データに基づいて同じ画面上にオペレータが再生開始位置を指定可能に表示し、オペレータにより前記画面上の再生開始位置が指定された場合に前記再生機がその位置データに基づいて指定位置から前記曲データ及び楽譜の再生を開始するように制御する楽譜表示手段とを、
備えた視聴覚システム。
【請求項５】
請求項１から３のいずれか１つに記載の曲データ、楽譜画像データ及び位置データをネットワークを介してユーザ端末に配信することを特徴とする音楽教材ソフト配信システム。
【発明の詳細な説明】
【０００１】
【発明の属する技術分野】
本発明は、音楽教材用記録媒体及び視聴覚システム並びに音楽教材ソフト配信システムに関する。
【０００２】
【従来の技術】
近年、小学校の音楽の時間において教員が特に唱歌を生徒に指導する場合、教員がオルガンやピアノなどの鍵盤楽器を伴奏すると指導に専念することができなかったり、教員が鍵盤楽器を演奏しながら歌唱指導をすることが困難な場合もあることから、オルガン伴奏の代わりに音楽教材用の曲が録音されたカセットテープやＣＤなどが使用されている。
【０００３】
また、他の従来例として、「楽器カラオケ」などと呼ばれ、演奏人口の多いギターを中心にＣＤやＤＶＤを媒体として販売され、印刷された楽譜が同梱されるものもある。
【０００４】
【発明が解決しようとする課題】
ところで、唱歌指導は常に曲の先頭から行うのではなく、第何小節からや、第何小節の第何番目の音符からのように曲の途中から再開することが頻繁に発生する。しかしながら、上記のカセットテープやＣＤなどを使用した場合、教員が曲の途中から再生を再開するためには、生徒が間違いやすい曲の箇所を教員があらかじめテープ／ＣＤ再生機のタイマカウンタなどの数値をメモしておき、指導中にこのメモを見ながら頭出し（途中出し）する必要があるので、特にテープの場合に巻き戻しや早送りに時間がかかり、授業が中断しやすく、また、教員の負担が大きくなり、このため教育活動の妨げになるという問題点がある。さらに生徒にとっても、教員から口頭で「第何小節の第何番目の音符から・・・」のように言われた場合に、教科書の楽譜を見てもその場所を特定しにくいという問題点がある。
【０００５】
また、曲の途中から再生を再開する場合のみならず、複数の曲が記録されているテープの途中に記録されている、ある任意の曲の先頭から再生を開始する場合にも同様な問題点がある。
【０００６】
また、上記の「楽器カラオケ」において、多くの若手アマチュア演奏家はバンド編成の一員であることが多い。しかしながら、上記の「楽器カラオケ」に代表される教材は、演奏人口の多いギターのものが多く、他の楽器のものは少ないことと、名演奏や名曲と呼ばれる教材となり得る楽曲が各パート毎で必ずしも一致していないため、バンドの各メンバーが同一の楽曲を同一の模範演奏、楽曲をもって練習することはたいへん困難な状況である。さらに、ギターの教材ばかりが多いことが、ギター人口のみを増やすことにもつながり、音楽文化の幅の広がりを妨げる一因ともなっている。
【０００７】
また、実際のバンド練習においては、曲の途中、技量を要する部分の繰り返し練習が有効であるにもかかわらず、オペレータによる簡単な頭出しは、演奏の冒頭のみで、途中の繰り返し練習に利用するには、プレイヤーが備えるリピート機能などを利用するしかなく、オペレータ自身の練習を長時間中断してリピート設定しなければならないと言う問題点と、リピート設定した部分が付録の楽譜のどこに相当するかを特定しにくいという問題点があった。
【０００８】
本発明は上記従来例の問題点に鑑み、記録されている曲の途中や、複数の曲の内の任意の曲の先頭を素早く頭出しすることができるとともに、唱歌指導性を向上させることができる音楽教材用記録媒体及び視聴覚システム並びに音楽教材ソフト配信システムを提供することを目的とする。
本発明はまた、上記従来例の問題点に鑑み、記録されている曲の途中や、複数の曲の内の任意の曲の先頭、あるいは演奏途中の任意の位置を素早く楽譜との関連性を持って頭出しすることができるとともに、バンドの全メンバーが同じ曲を同じ模範演奏を基に練習できる音楽教材用記録媒体及び視聴覚システム並びに音楽教材ソフト配信システムを提供することを目的とする。
【０００９】
【課題を解決するための手段】
本発明は上記目的を達成するために、音楽教材用の曲データとともに、その曲の楽譜を画面上に表示するための画像データと、画面上の楽譜の少なくとも途中の再生開始位置をオペレータが指定可能に表示するための位置データとを記憶して、オペレータにより再生開始位置が指定された場合にその位置データに基づいて指定位置から曲データ及び楽譜の再生を開始するようにしたものである。
【００１０】
すなわち本発明によれば、音楽教材用の曲データと、
前記曲データの楽譜を画面上に表示するための画像データと、
前記画像データに基づいて画面上に表示される楽譜の少なくとも途中の再生開始位置をオペレータが指定可能に前記画面上に表示するための位置データとを、
有するデータ構造が記録され、
オペレータにより前記画面上の再生開始位置が指定された場合にその位置データに基づいて指定位置から前記曲データ及び楽譜の再生を開始するように構成した音楽教材用記録媒体が提供される。
【００１１】
また、本発明によれば、請求項１から３のいずれか１つに記載の音楽教材用記録媒体に記録された曲データ、楽譜画像データ及び位置データを再生する再生機と、
前記再生機により再生された楽譜画像データを表示するとともに、位置データに基づいて同じ画面上にオペレータが再生開始位置を指定可能に表示し、オペレータにより前記画面上の再生開始位置が指定された場合に前記再生機がその位置データに基づいて指定位置から前記曲データ及び楽譜の再生を開始するように制御する楽譜表示手段とを、
備えた視聴覚システムが提供される。
【００１２】
また、本発明によれば、請求項１から３のいずれか１つに記載の曲データ、楽譜画像データ及び位置データをネットワークを介してユーザ端末に配信することを特徴とする音楽教材ソフト配信システムが提供される。
【００１３】
【発明の実施の形態】
＜第１の実施の形態＞
以下、図面を参照して本発明の実施の形態について説明する。図１は本発明に係る音楽教材用記録媒体の第１の実施の形態としてＤＶＤを用いた視聴覚授業システムを示す構成図、図２は本発明に係る音楽教材用記録媒体の第１の実施の形態としてＤＶＤのフォーマットを示す説明図、図３は図１のＤＶＤプレイヤの処理及びオペレータ操作を説明するためのフローチャートである。
【００１４】
図１に示すシステムは、一例としてＤＶＤプレイヤ１と、オーディオ機器２とテレビ（ＴＶ）黒板３により構成されている。ＤＶＤプレイヤ１が再生する不図示のＤＶＤにはあらかじめ、音楽教材用の曲データと、曲データの楽譜を画面上に表示するための画像データと、画面上の楽譜の少なくとも途中の再生開始位置をオペレータが指定可能に前記画面上に表示するための位置データとして「マーキング」データ（後述）が記録されている。ＤＶＤプレイヤ１はＤＶＤ規格に基づく機器であり、この「マーキング」データである位置データに基づいてオンスクリーン・ディスプレイ（ＯＳＤ）画像を作成してテレビ黒板３に出力する。オーディオ機器２はＤＶＤプレイヤ１から再生された曲データを音として再生する。
【００１５】
テレビ黒板３は教室内で使用可能な程度の大きさの表示パネルと、その上に設置されたタッチパネルにより構成され、ＤＶＤプレイヤ１から出力された楽譜の画像データ及びＯＳＤ画像を表示し、また、教員などのユーザ４が表示画面上の座標を指定することができる。なお、テレビ黒板３とは、文部科学省による呼称であり、他にテレビ白板やマルチメディアボードといった呼称もある。
【００１６】
ＤＶＤプレイヤ１の赤外線リモート・コントローラ・ユニット（ＲＣＵ，以下、リモコン）１ａは操作ボタンとして、「再生」、「停止」、「一時停止」、「一時停止解除」などのディスク再生制御操作ボタンと、「↑」、「↓」、「←」、「→」のカーソルキー及び決定キーや、キャンセルキーなどの機能キーを有する。
【００１７】
図２は一般的なＤＶＤのフォーマットのデータ構造の階層を示している。このデータ構造は９個のグループにより構成され、各グループは９９個のタイトルにより構成され、各タイトルは９９個のトラックにより構成され、各トラックは９９個のチャプターにより構成されている。そこで、本発明のＤＶＤでは、１つのトラックに１曲分のオーディオデータと楽譜の画像データが記録される。また、そのトラックを構成する各チャプターには、音符、小節又は行の１つ分のオーディオデータと楽譜の画像データが記録されている。
【００１８】
また、ＤＶＤのフォーマットでは、各トラック及び各チャプターの位置を指定するための「マーキング」を記録することができるので、本発明のＤＶＤでは、トラック単位（１曲単位）及びチャプター単位（１音符単位、１小節単位又は１行単位）に「マーキング」を記録する。このマーキングデータは、楽譜の音符単位、小節の先頭、行の先頭、曲の先頭を示す表示コマンド形式の位置データであり、ＤＶＤプレイヤ１は、この表示コマンドに基づいてＯＳＤ表示用のカーソル画像や数字画像を作成してテレビ黒板３に送ることによりＯＳＤ表示する。
【００１９】
また図２における各グループ、各タイトルには、ＤＶＤプレイヤ１がメニュー画面や、記録されているの曲の一覧表などのＯＳＤ画面を作成して表示するための表示コマンドが記録される。このようなデータ構造によれば、ＤＶＤが大容量であり、また、楽譜の画像データが動画ではなく静止画データであり、さらにカーソル画像を表すデータもコマンド形式であって動画より少ないデータ量であるので、例えば小学校の１年から６年までの各音楽教材データをそれぞれ各グループ又は各タイトルに記録することにより、小学校の全学年分の音楽教材ソフトを１枚のディスクに記録することができる。
【００２０】
次に図３を参照してＤＶＤプレイヤ１の動作及びオペレータ操作を説明する。まず、ディスクの挿入を検出すると（ステップＳ１）、音楽教材ソフトを示すマーキングを検出したか否かを判断し（ステップＳ２）、検出しない場合には通常のディスクの再生処理を実行し（ステップＳ３）、他方、検出した場合にはステップＳ４以下に進む。なお、音楽教材ソフトを示すマーキングが記録されていないディスクの場合や、元々このマーキングを記録しないデータ構造とする場合には、ステップＳ２において手動で選択可能なように構成してもよい。
【００２１】
ステップＳ２において音楽教材ソフトを認識した場合に、メニュー画面や、曲の一覧表をＯＳＤ表示するためのトラックデータをディスクから読み出してテレビ黒板３にＯＳＤ表示する（ステップＳ４）。これにより、ユーザ４がリモコン１ａのカーソルキーによりメニュー画面や一覧表画面上の座標を選択して決定キーにより選択完了操作することにより所望の再生曲などを選択することができ、また、指定された位置情報がテレビ黒板３からＤＶＤプレイヤ１に送られる。そして、ステップＳ５において曲が選択され、次いでステップＳ６において選択完了操作が行われると、ステップＳ７において選択曲の１曲目の曲頭画像を表示する。この曲頭画像の画面には、一例として図１に示すように３行分の楽譜画像３ａを表示する。また、リモコン１ａと同じ「再生」などの操作ボタン３ｂを表示して操作可能にしてもよい。
【００２２】
この曲頭画像の表示状態において停止操作が行われるとステップＳ８を介してステップＳ４に戻り、他方、再生操作が行われるとその再生操作を受け付けて（ステップＳ９）ステップＳ１４に進み、選択された曲の再生を開始する。また、ステップＳ５において曲が選択され、次いでステップＳ６において選択完了操作が行われなかった場合に再生操作が行われると、その再生操作を受け付けて（ステップＳ１０）、選択された位置を選択部分と認識し（ステップＳ１２）、次いでステップＳ１４に進み、選択された曲の再生を開始する。また、ステップＳ５において曲が選択されず、再生操作が行われると、その再生操作を受け付けて（ステップＳ１１）、全曲選択と認識し（ステップＳ１３）、次いでステップＳ１４に進み、選択された曲を１曲目から再生を開始する。
【００２３】
ステップＳ１４における再生中には、３行分の楽譜を再生中の行が中央になるようにスクロールして表示する。ただし、最初の行を再生中には最初の行が上になるように表示し、また、最後の行を再生中には最後の行が下になるように表示する。なお、このとき、再生中の音符を点滅や表示色を変更などして表示してもよい。１曲分の再生中に一時停止ボタンが押されず（ステップＳ１５）、選択曲の再生が終了すると（ステップＳ１８）、ステップＳ７に戻り、選択曲の曲頭の３行分の楽譜を表示する。
【００２４】
他方、ステップＳ１５において１曲分の再生中に一時停止ボタンが押されると再生を一時停止し、また、一時停止時の楽譜を表示する。この一時停止状態では、ステップＳ１６において表示中の楽譜上の音符、休符、小節、行（ディスクのチャプタ単位）をタッチすることにより再生再開位置と再生終了位置を指定することができる。また、所望の再生再開位置と再生終了位置が画面上にない場合には、リモコン１ａの「↑」「↓」キーにより「チャプター送り」することにより楽譜を上下方向にスクロールして所望の再生再開位置と再生終了位置を画面上に表示させることによりこれを指定することができる。なお、行の先頭を指定するために図１に示すような行指定ボタン３ｃを表示してもよい。また、音符や休符を指定するために図４に示すような音符指定番号３ｄを各音符や休符に対応するように表示してもよい。
【００２５】
再生再開位置を指定した後、表示中の楽譜の他の位置をさらにタッチすることにより再生終了位置を指定することができる。このとき、ＤＶＤプレイヤ１は最初のタッチ位置を再生再開位置として認識し、２番目のタッチ位置を再生再開後の曲の途中の再生終了位置として認識する。ただし、２番目のタッチ位置が最初のタッチ位置より曲頭側の場合には逆に認識するようにしてもよい。また、３回タッチされた場合には２番目のタッチ位置をリセットし、３番目のタッチ位置を再生終了位置として認識するようにしてもよい。さらに、奇数番目のタッチ位置を再生再開位置として認識し、偶数番目のタッチ位置を再生終了位置として認識するようにしてもよい。タッチ回数が１回の場合には再生終了位置を曲の終わりとして認識するようにしてもよい。
【００２６】
ステップＳ１６において再生再開位置が指定されることなく「一時停止解除」された場合には、ステップＳ１７を介してステップＳ１８に進み、一時停止時の位置から再生（及びスクロール表示）を再開する。他方、ステップＳ１６において再生再開位置が指定されて「一時停止解除」された場合には、ステップＳ１９を介してステップＳ２０に進み、指定部分を再生する。この指定部分の再生中に一時停止ボタンが押されると再生を一時停止してステップＳ２１を経由してステップＳ１６に戻る。したがって、指定部分を間違えた場合に指定部分を変更して再生することができる。
【００２７】
指定部分の再生終了位置まで再生を終了し、その状態で「一時停止解除」されるとステップＳ２１、Ｓ２２、Ｓ２３を経由してステップＳ２０に戻り、指定部分の先頭から再度、再生する。したがって、同じ指定部分を繰り返して再生することができる。他方、指定部分の再生終了位置まで再生を終了し、その状態で「停止」操作されるとステップＳ２１、Ｓ２２、Ｓ２４を経由してステップＳ２５に進み、その曲の先頭の楽譜を表示する。そして、ステップＳ２５において「再生」操作されるとステップＳ２７、Ｓ２８を経由してステップＳ１５に戻り、その指定操作曲の先頭から再生を再開する。また、ステップＳ２５において「停止」操作されるとステップＳ２６を経由してステップＳ７に戻り、選択曲の先頭を表示する。
【００２８】
＜第２の実施の形態＞
上記実施の形態では、記録媒体としてＤＶＤを例にして説明したが、ＤＶＤの代わりにビデオＣＤを用いてもよい。図５はＣＤのフォーマットを示し、このデータ構造は９９個のトラックにより構成され、各トラックは９９個のインデックスにより構成されている。そこで、本発明のビデオＣＤでは、１つのトラックに１曲分のオーディオデータと楽譜の画像データが記録される。また、そのトラックを構成する各インデックスに音符、小節又は行１つ分のオーディオデータと楽譜の画像データが記録される。また、ビデオＣＤも同様に、各トラック及び各インデックスの位置を指定するための「マーキング」を記録することができるので、トラック単位（１曲単位）及びインデックス単位（１音符単位、１小節単位又は１行単位）に「マーキング」を記録する。
【００２９】
ところで、上記実施の形態における楽譜表示手段としてのテレビ黒板３は、文部科学省の指導により各小学校に普及すると思われるが、全国的に普及するまでに時間がかかると思われる。そこで、図６に示すように既に全国的に普及しているパソコン（ＰＣ）１０を用いることにより、ＤＶＤプレイヤ１から再生された楽譜をＰＣ１０のディスプレイ１１の表示画面に表示し、ＰＣ１０のＧＵＩとマウス１２により音符などの位置を指定することができる。また、音符などの位置指定手段として、代わりに図７に示すように表示画面上に音符指定番号３ｄを表示してＤＶＤプレイヤ１のリモコン（ＲＣＵ）１ａから音符指定番号を入力するようにしてもよい。
【００３０】
また、上述したのは本発明につき、歌唱指導用の教材として記録媒体（ディスク）を用いた例について説明したが、本発明はこれに限ることなく、歌唱指導の他に楽器演奏指導用の教材として記録媒体（ディスク）を用いても、歌唱指導用の場合と同等の効果を得ることができることはもちろんである。楽器演奏指導用の教材として具体的には、ギター、ベース、ドラム、キーボード、ヴォーカルの５人編成の曲について楽器演奏を指導する教材の場合に、ギターのみ、ドラムのみといった個々の楽器の教習用に用いることができる教材である。この教材ソフトの内容をギターのソロ、ギターを除く演奏というように、当該楽器のソロと当該楽器のみを除いた演奏とのデータ（画像データ、音声データなど）をそれぞれ収録しておき、楽譜に関連づけた頭出しもできるものである。この例に挙げた５人編成の曲の場合には、各々のソロと当該ソロを除く演奏で計１０曲（２×５）、それに全部の楽器で演奏した曲を加えて合計１１曲分の収録を行えばよいことになる。
【００３１】
また、上述した本発明は、ＤＶＤプレイヤで教材のＤＶＤを再生することについて述べたが、本発明はこれに限ることなく、多種類の教材用ソフト（教材コンテンツ）をライブラリー化しておき、ネットを介してアクセスしてくる教材ソフト供給希望の依頼元に、パスワードで身元を確認した後、依頼の教材ソフトをネットを介して配信するという、インターネットを用いた教材配信システムであってもよい。
【００３２】
＜第３の実施の形態＞
次に上記の楽器演奏教材及び配信システムについて詳しく説明する。楽器演奏教材のデータ構造は、１つの楽曲を構成するパートがＮ個の場合、１＋２Ｎ種類で構成される。例えば図８に示すように１つの楽曲がヴォーカル、リードギター、リズムギター、バスギター及びドラムスの５つのパートにより構成される場合、全てのパートが演奏した曲データ及び主旋律の楽譜画像データと、各パートについてそのパートを除いた曲データ及びそのパートのソロデータと、そのパートの楽譜画像データ（及びそれぞれについて位置データ）の１１種類により構成される。図８（ａ）は全てのパートが演奏した曲データを示し、図８（ｂ）はリードギターを除いた曲データを示し、図８（ｃ）はリードギターのソロデータを示す。また、図８（ｄ）はリズムギターを除いた曲データを示し、図８（ｅ）はリズムギターのソロデータを示す。
【００３３】
このようなデータ構造のＤＶＤやＣＤなどのパッケージメディアによれば、利用者のコピー練習に向けて、全パートでの模範演奏の他に各々のパートのカラオケとソロを記録することにより、バンドの各構成員が同一の楽曲で独習することが可能となる。
【００３４】
図９に示す構成図は、インターネットなどでデータとして配信するソフトの内容を示す。ここで、図８に示したパッケージ商品は、独習を想定した内容となるが、ネット商品は、全員が揃わない状態を想定し、任意の２以上のパートを組み合わせて練習することが可能となる内容を販売する。なお、図８に示した１パートのみのソフトも同様にインターネットなどを介して配信するようにしてもよいことはもちろんである。
【００３５】
まず、図９（ａ）に示すように、図８と同じく１つの楽曲がヴォーカル、リードギター、リズムギター、バスギター及びドラムスの５つのパートにより構成される場合において、全てのパートが演奏した曲データのマルチトラックデータがサーバのホームページ上に提供される。図９（ｂ）は一例として、リードギターとリズムギターの奏者が購入するソフトを示し、このソフトはリードギターとリズムギター以外のヴォーカル、バスギター及びドラムスの曲データＡと、リードギターとリズムギターの楽譜データＶ（及び位置データ）により構成される。
【００３６】
図１０はインターネット販売を実現するシステム構成を示し、教材ソフトサーバ２０とデータベース２１により構成される。形態的には一般的なホームページ構成とし、データベース２１にマルチトラックの楽曲情報を置くことで、任意のパートを組み合わせて販売することを実現する。
【００３７】
図１１は、インターネット販売を想定した購入時の操作を示すフローチャートである。まず、ホームページ上に利用者が教材ページに入る時に支払い手続き画面を表示し（ステップＳ１０１）、利用者が支払い条件を入力すると（ステップＳ１０２）、支払い条件が適正に入力された場合に曲目リストを表示する（ステップＳ１０３→Ｓ１０４）。次いで利用者が曲目を入力すると（ステップＳ１０５）、曲目が適正に入力された場合にその曲目の演奏パートリストを表示する（ステップＳ１０６→Ｓ１０７）。
【００３８】
次いで利用者がその曲目の演奏パートを入力すると（ステップＳ１０８）、演奏パートが適正に入力された場合にダウンロードマークとともに選択内容と支払い条件を確認のために表示する（ステップＳ１０９→Ｓ１１０）。次いで利用者が選択内容と支払い条件を確認してダウンロード操作を行うと（ステップＳ１１１）、ダウンロード操作を受け付けた場合に楽曲から不要な演奏パートを削除し（ステップＳ１１２→Ｓ１１３）、次いで主旋律楽譜画像に１チャネル（モノラル）又は２チャネル（ステレオ）の音声を加えて再構成し（ステップＳ１１４）、次いで再構成したデータと選択された演奏パートの全楽譜映像データを送付する（ステップＳ１１５）。
【００３９】
したがって、利用者から見て、一般のネット通販の購入操作に近く馴染みやすい操作で、教習楽曲の任意のパートを任意の数だけ購入できる。また、データベース２１に置くマルチトラック楽曲情報は、１トラック（モノラル）にトラックダウンした後の各演奏パートの音量を想定した状態にあらかじめ調整しておくと、単純に必要パートデータをミックスするだけで任意のパートを組み合わせることができる。また、ソフトを２トラック（ステレオ）とする際は、データベース２１に置くマルチトラック楽曲情報を、２トラックにトラックダウンした後の各演奏パートの音量と定位（左右のバランス）を想定した状態にあらかじめ調整しておくと、単純に必要パートデータをミックスするだけでよい。
【００４０】
【発明の効果】
以上説明したように本発明によれば、音楽教材用の曲データと共に、その曲の楽譜を画面上に表示するための画像データと、画面上の楽譜の少なくとも途中の再生開始位置をオペレータが指定可能に表示するための位置データとを記憶して、オペレータにより再生開始位置が指定された場合にその位置データに基づいて指定位置から曲データ及び楽譜の再生を開始するようにしたので、記録されている曲の途中や、複数の曲の内の任意の曲の先頭を素早く頭出しすることができるとともに、唱歌指導性を向上させることができる。
また、同一の楽曲に対して各演奏パートの教習が出来るようにしたので、音楽文化を支えるアマチュアバンド構成員が他の構成員と楽曲を１つにした有効な独習が可能になる。更には、楽曲の聴取を主とする音楽ファン、音楽評論家にとっては、注目されるバンドの演奏を分離聴取することで深く理解することができる。
【図面の簡単な説明】
【図１】本発明に係る音楽教材用記録媒体の第１の実施の形態としてＤＶＤを用いた視聴覚授業システムを示す構成図である。
【図２】本発明に係る音楽教材用記録媒体の第１の実施の形態としてＤＶＤのフォーマットを示す説明図である。
【図３】図１のＤＶＤプレイヤの処理及びオペレータ操作を説明するためのフローチャートである。
【図４】音符指定手段の他の表示例を示す説明図である。
【図５】本発明に係る音楽教材用記録媒体の第２の実施の形態としてビデオＣＤのフォーマットを示す説明図である。
【図６】本発明に係る第２の実施の形態の視聴覚授業システムを示す構成図である。
【図７】本発明に係る第２の実施の形態の視聴覚授業システムを示す構成図である。
【図８】本発明に係る第３の実施の形態の記録媒体のフォーマットを示す説明図である。
【図９】図８の変形例としてインターネットなどを用いて配信するデータ構造を示す説明図である。
【図１０】本発明に係るインターネット配信システムを示す構成図である。
【図１１】図１０のシステムの動作を説明するためのフローチャートである。
【符号の説明】
１　ＤＶＤプレイヤ
２　オーディオ機器
３　テレビ黒板
２０　教材ソフトサーバ
２１　データベース
【図１】
2004054189.tif 000003
【図２】
2004054189.tif 000004
【図３】
2004054189.tif 000005
【図４】
2004054189.tif 000006
【図５】
2004054189.tif 000007
【図６】
2004054189.tif 000008
【図７】
2004054189.tif 000009
【図８】
2004054189.tif 000010
【図９】
2004054189.tif 000011
【図１０】
2004054189.tif 000012
【図１１】
2004054189.tif 000013